(57)【要約】本発明は、液体−液体抽出機に関するものであって、本質的に、一連をなす複数の個別抽出機（１）であってレール（２）に沿ってスライド取付されかつ遠心力によって２つの液相を分離し得るよう構成された複数の個別抽出機（１）と；これら複数の個別抽出機を連結するとともに、混合相を流通させ得るとともに、流通相の分離の推進または流通相の抽出を行い、さらに、容易に交換し得るようレール上に簡単に取り付け得るものとされた中間部材（３）と；レール（２）の一端に位置した係止手段（６）とレール（２）の他端に位置した押込アセンブリ（７）とから構成され、あるいは、レールの両端に配置された２つの押込手段（７）から構成され、さらに、一連をなす複数の抽出機と中間部材とを締め付け得るものとされた締付システムと；を具備している。
2005506181.tif 000002
【特許請求の範囲】
【請求項１】
２つの液相の混合のための液体−液体抽出機であって、
連結されて配置された一連をなす複数の個別抽出機（１）と、
これら複数の個別抽出機のための共通支持体と、
を具備する場合において、
前記支持体が、複数のレール（２）を備え、
前記個別抽出機が、前記レール上へとスライド配置されるあるいは前記レール上においてロックされるベース（２５）を備え、
前記個別抽出機が、中間部材（３）を介して接続され、
前記中間部材（３）が、前記レールに対しての側方位置決めによって設置されかつ前記レール上をスライドするベースを備え、
前記一連をなす複数の抽出機と前記中間部材とのための締付システム（６，７）が、設けられていることを特徴とする抽出機。
【請求項２】
請求項１記載の抽出機において、
前記個別抽出機が、複数の相が向流式に循環するようになっている遠心抽出機であることを特徴とする抽出機。
【請求項３】
請求項２記載の抽出機において、
１つまたは複数の端部部材（５）を具備し、
この端部部材（５）が、前記レールに対しての側方位置決めによって設置されかつ前記レール上をスライドするベースを備え、
このベースが、隣接している個別抽出機（１）に関し、前記混合相の供給口（９１）または抽出口（９４）に対して連結されていることを特徴とする抽出機。
【請求項４】
請求項１〜３のいずれか１項に記載の抽出機において、
前記締付システムが、さらに、前記レール（２）の一端に位置した係止手段（６）と、前記レール（２）の少なくとも他端に位置した押込アセンブリ（７）と、を備え、
前記押込アセンブリが、前記レール上への固定手段と、押込手段と、この押込手段を駆動するための駆動手段と、を有していることを特徴とする抽出機。
【請求項５】
請求項３または４記載の抽出機において、
前記係止手段が、前記端部部材上に配置されているとともに、前記レール上に前記端部部材を締め付けるための締付手段を構成していることを特徴とする抽出機。
【請求項６】
請求項４または５記載の抽出機において、
前記固定手段が、前記レール内に配置された一対をなす鉛直方向コラム（４１）から構成されていることを特徴とする抽出機。
【請求項７】
請求項１〜６のいずれか１項に記載の抽出機において、
前記レールには、延長用に使用される他のレールに対しての連結手段（３４〜３８）が設けられていることを特徴とする抽出機。
【請求項８】
請求項１〜６のいずれか１項に記載の抽出機において、
前記個別抽出機と前記中間部材とが、鉛直方向面を介して面接触していることを特徴とする抽出機。
【請求項９】
請求項１〜８のいずれか１項に記載の抽出機において、
前記個別抽出機が、前記ベース上に連続的に積み重ねられる複数の部分（２５，２６，２８）から構成され、
前記各部分には、位置決め手段が設けられていることを特徴とする抽出機。
【請求項１０】
請求項１〜９のいずれか１項に記載の抽出機において、
前記締付システムが、前記駆動手段として、少なくとも１つのキャプスタン（４２）を有していることを特徴とする抽出機。
【請求項１１】
請求項１〜１０のいずれか１項に記載の抽出機において、
前記個別抽出機と、前記中間部材と、前記締付システムとが、遠隔制御し得るようにして構成されていることを特徴とする抽出機。
【発明の詳細な説明】
【技術分野】
【０００１】
本発明は、一連をなす複数の液体−液体抽出機に関するものである。
【背景技術】
【０００２】
本発明が関連する抽出機は、遠心抽出機であって、個々の抽出機が、１）２つの相を撹拌することによって、一方の相から他方の相へと１つまたは複数の抽出可能な溶質を移行させ得るようなミキサ、および、２）遠心力の作用によって相どうしを分離させるデカンタ、という２つの部材を備えて構成された複数の液体−液体抽出機である。このような装置においては、通常、多段接続を使用して、意図した抽出レベルが得られるよう、２つの相の向流式循環を行っている。一般に、全体的液体−液体抽出方法には、異なる相の抽出、供給、および、並び内への流体の追加や抜取を必要とするような洗浄、がある。そのような一連をなす複数の遠心抽出機は、“Recent advances of annular centrifugalextractor for hot test of nuclear waste partitioning process”と題する、Nuclear Sciences and Techniques, Volume 9, no. 3, August 1998, pages 157-162  という文献に記載されている。個別抽出機は、共通支持体に沿って列内へと導入され、ダクトを介して接続される。うまくないことに、このようなアセンブリは、特に危険な対象物を取り扱わなければならないときには遮蔽隔室内に設置されて取扱い性能に限界を有した遠隔制御マニピュレータによっては届き得ないところに配置された場合には、適応性が十分ではない。
【非特許文献１】
“Recent advances of annular centrifugal extractor for hottest of nuclear waste partitioning process”と題する、Nuclear Sciences andTechniques, Volume 9, no. 3, August 1998, pages 157-162
【発明の開示】
【課題を解決するための手段】
【０００３】
本発明の目的は、このような縦続タイプの欠点を修正することであり、また、簡単にシステムを変更し得る性能を有しているような、また、抽出機の数を変更し得るような、また、仕様を変更し得るような、互いに直列接続された複数のさらには多数の個別抽出機を提供することである。
【０００４】
最も一般的な態様において、本発明は、２つの液相の混合物から液体−液体抽出を行うための装置であって、連結されて配置された一連をなす複数の個別抽出機と、これら複数の個別抽出機のための共通支持体と、を具備する場合において、支持体が、複数のレールを備え、個別抽出機が、スライド式のベース、あるいは、レール上においてロックされて配置されるベースを備え、個別抽出機が、中間部材を介して接続され、中間部材が、レールに対しての側方位置決めによって設置されかつレール上をスライドするベースを備え、一連をなす複数の抽出機と中間部材とのための締付システムが、設けられていることを特徴とする装置に関するものである。
【０００５】
各個別抽出機は、互いに同様のものであって、互換的なものとされ、レールに沿って追加したり取り外したりすることができる。レールが通常は抽出機のベースに対して交差していることにより、あるいは、レール上に抽出機を設置するための例えばロックピンといったようなロックシステムをレールが備えていることにより、レールは、抽出機を横方向移動と鉛直方向移動とに関して維持しており、そのため、抽出機列は、非常に剛直なものとして構成されている。一般に、個別抽出機どうしの間の連結要素として機能する中間部材は、各液相の連続的流通の確立を可能とするダクトを備えている。しかしながら、また、中間部材は、必要であれば、ステージどうしの間の圧力を平衡化することによって各相の良好な循環を確保するベント穴を備えることができる。そのようなベント穴を通して、混合物に対して追加物を導入したり、あるいは、パージを行ったり、抽出を行ったり、することができる。よって、様々なタイプの中間部材を有効に使用することができる。そして、それら中間部材は、抽出プロセスの変更の必要性に応じて、適宜に交換することができる。この交換は、容易である。それは、中間部材が、レール上に単純に設置されているからである。中間部材は、隣接した個別抽出機どうしをわずかに分離するのに十分なものであり、中間部材を持ち上げて、新たな中間部材と交換し、その後、抽出機列を再締付することができる。最後に、締付システムにより、抽出プロセス全体にわたって、結束を維持することができるとともに抽出機列をシールすることができる。しかも、締付システムは、抽出機列の迅速な組み直しを可能とする。
【０００６】
抽出機列は、１つまたは２つの端部部材を具備することができ、端部部材は、レールに対しての側方位置決めによって設置されかつレール上をスライドするベースを備え、このベースは、隣接している個別抽出機に関し、混合相の供給口または抽出口に対して連結される。このような端部部材は、個別抽出機内を２つの交差流が交差しているような向流式抽出方法においては、有効なものである。わずかに変形された装置においては、端部部材の一端に、締付システムの一部材として、抽出機列のための係止デバイスを有することができる。このような端部部材は、完全な分離を行うための境界的締付手段であり、レールの他端に設置される。２つの端部部材が同様のものである場合には、締付システムは、レールの両側において対称なものとなる。
【０００７】
さらに、本発明は、いくつかの独自の特徴点を有している。それら特徴点は、以下の説明を読むことによって、明瞭となるであろう。それらにより、組立や、締付や、個別抽出機の配置や、中間部材の配置や、締付システムの配置、が容易なものとされる。以下においては、添付図面を参照して、本発明の実施形態について説明する。
【発明を実施するための最良の形態】
【０００８】
本発明の一実施形態においては、図１に示すように、抽出機は、１６個の個別抽出機（１）を具備している。図１においては、１６個のうちのいくつかの個別抽出機（１）が図示されている。１６個の個別抽出機（１）は、互いに連続して配置されている。すなわち、一対をなす２つの平行レール（２）上において連続して配置されている。中間部材（３）が、個別抽出機（１）どうしの間に介装されている。さらに、中間部材と極めて類似した第１端部部材（４）が、最後の個別抽出機（１）の後段側に配置されており、同じく中間部材と極めて類似した第２端部部材（５）が、最初の個別抽出機（１）の前段側に配置されている。最後に、係止部材（６）と押込部材（７）とから構成された締付システムが、一連をなす複数の個別中間部材（１）と、中間部材（３）と、（端部部材（４，５）と、）を互いに圧縮状態に維持している。
【０００９】
本発明の他の実施形態においては、並びの両端に、２つの端部部材（５）と２つの押込部材（７）とを、対称的に配置し、係止機能を行わせる。
【００１０】
次に、個別抽出機（１）（以下、単に、抽出機と称す）の動作について、図２を参照して説明する。抽出機（１）の活性部材は、タンク（８）内に収容されており、鉛直方向軸回りに回転するボウル（９）によって構成されている。ボウル（９）の底部には、中央穴（１０）が穿孔されている。軽量相は、抽出機（１）を右に向けて通過し、重量相は、抽出機（１）を左に向けて通過する。軽量相の導入口（１１）は、軽量相をタンク（８）の底部に向けて導くことができ、重量相の導入口（１２）は、重量相をタンク（８）の底部に向けて導くことができる。タンクの底部においては、エマルジョンが生成され、穴（１０）を通過することによって、１つまたは複数の溶質がボウル（９）内へと移行することができる。ボウル（９）を高速回転させることにより、ボウル（９）の高さ全体にわたって延在する略円筒形の境界（１３）を境として、両相を分離して配置することができる。
【００１１】
重量相は、カバー（１４）に接触し、このカバーに設けられた周縁オーバーフロー部分（１５）を導出口として導出される。同様に、中央オーバーフロー部分（１６）は、軽量相に対しての導出口として機能する。これらオーバーフロー部分（１５，１６）は、それぞれ、タンク（８）の異なる高さ位置に機械加工形成された収集リング（１７，１８）において終端しており、それぞれ、重量相導出口（１９）および軽量相導出口（２０）に対して連通している。抽出機（１）は、向流式の抽出機であって、１つまたは複数の溶質の抽出を可能とし得るよう、相どうしの一時的な混合が起こる。導出口（１９，２０）が、導入口（１１，１２）よりも高い位置にあることに、注意されたい。これにより、それら導出口を、次段の同様の抽出機に対して接続したときに、重力の作用によって流体を導くことができる。したがって、このような多数の抽出機を、直列的に接続することができる。
【００１２】
図３は、抽出機（１）の構造を、より詳細に示している。抽出機（１）は、３つの部分に分解されている。第１部分は、ベース（２５）であって、このベース（２５）は、本質的に、タンク（８）と導入口と導出口とを備えている。第２部分（２６）は、ボウル（９）と、このボウル（９）を付帯したカバー（２７）と、を備えている。第３部分をなす上部部材（２８）は、モータ（２９）と、このモータのためのフードと、を備えている。カバー（２７）は、タンク（８）の頂部上に設置することができる。相対回転の防止は、位置決めピン（３０）によってもたらされている。他の位置決めピン（３１）が、カバー（２７）と、モータ（２９）のフードと、の間にも配置されている。タンク（８）内におけるボウル（９）の調節は、当業者には公知であるようにして、図示しないベアリングを使用することによって動作時に行われる。ボウル（９）に対してのモータ（２９）の調節は、シャフトの結合によって行われる。特に、このシャフト結合は、自動的芯出し（自己中心合わせ）を可能とするような特定の結合とすることができる。このような構成の利点は、ベース（２５）上に順次的に積み重ねられた各部材（２６，２８）を持ち上げることによって、各個別抽出機（１）を分解できることである。このような分解は、単なる鉛直方向移動によって可能であり、そのため、遠隔制御されたマニピュレータによって可能である。
【００１３】
図４は、スライド型の抽出機のベース（２５）に、水平方向グルーブ（３２）が形成されていることを示している。水平方向グルーブ（３２）は、レール（２）との間のスライドを可能とし、レール（２）によって支持されることを可能とする。図４ａは、所定位置に配置された抽出機のベース（２５）の一例を示している。この例においては、抽出機は、肩部（１２９）を有することができる。レール（２）に沿って等間隔で配置されたロックピン（１３０）は、肩部（１２９）に対して嵌合することによって、抽出機をその位置にロックする。この場合、複数のロックピン（１３０）は、複数の抽出機を配置し得るとともに各抽出機を持ち上げて移動させ得るよう、互いに十分な間隔でもって配置されている。ロックピン（１３０）どうしの間隔は、抽出機の幅に、中間部材の幅を加えたものとすることができる。部分（２６，２８）は、ベース部分（２５）上に設置することができる。上述したように、任意数の抽出機（１）を互いに直列接続することができる、すなわち、レール（２）上に設置することができる。しかしながら、レール（２）の長さを制限することが好ましい。後になって、抽出機（１）の数を追加することが要望された際には、レールを長くすることが必要となるけれども、レール（２）は、互いに継ぎ足すことによって延長部分を形成することができ、図５に示すようにして組み立てることができる。その場合、レール（２）には、端部において外面上にノッチ（３３）が形成されている。各ノッチ（３３）は、隣接する２つのノッチ（３３）にわたってオーバーラップする連結キー（３４）を受領する。キー（３４）には、穴が開けられていて、レール（２）の延長部分には、ネジ山付き穴（３５）が形成されている。これにより、キー内にネジ（３６）を配置することによって、キーを固定することができる。ネジ（３６）は、ネジ山付き穴（３５）に対して螺着し、キー（３４）をノッチ（３３）内に保持する。ネジ（３６）は、キャプスタン形状のヘッド（３７）を有している。このことは、ヘッド（３７）が、複数の径方向スポーク（３８）を有していて、遠隔制御マニピュレータのアームによって容易に操作し得るものであることを、意味している。
【００１４】
また、いわゆる二重端部部材が存在する。この二重端部部材は、連続した抽出機にわたっての、すなわち、対をなして互いに平行に配置されたレール上に設置された複数の抽出機にわたっての、対向式循環を可能とする。二重端部部材は、図１２において、符号（１２０）によって示されている。この図は、底面から見た図として図示されている。二重端部部材は、他の部材よりも幅が広いブロック（１２１）として形成されており、ブロック（１２１）の両側方端においてそれぞれ対をなしている４つの穿孔穴（１２２，１２３，１２４，１２５）を有している。２つのパイプ（１２６，１２７）が、各対をなす穿孔孔どうしをそれぞれ連結している。よって、一方の液相は、一方の列をなす抽出機から、平行な列をなす抽出機にまで、穿孔穴（１２３，１２４）およびパイプ（１２６）を介して、流通することができる。他方の液相は、上記一方の列に対して平行な列をなす抽出機から、穿孔穴（１２５，１２２）およびパイプ（１２７）を介して、流通することができる。この端部部材（１２０）は、抽出機の使用者が必ずしも延長レールを接続する必要がないことを意味している。
【００１５】
一般に、個別抽出機および中間部材は、鉛直方向面を介して面接触している。
【００１６】
次に、締付システムについて説明する。ここで、締付システムが、遠隔制御マニピュレーションを可能とし得るようにして構成されていることに注意されたい。
【００１７】
締付システムの押込部材（７）は、図６に示されているように、支持体（３９）と、この支持体（３９）をロックしかつレール（２）内の凹所を貫通している２つの鉛直方向コラム（４１）を有したクランプ（４０）と、支持体（３９）上に取り付けられた締付キャプスタン（４２）と、を備えている。締付キャプスタン（４２）は、自在継手（ユニバーサルジョイント）（４５）によって締付キャプスタン（４２）の軸に対して連結されたネジ（４４）によって例えばスライド係止体（４３）といったような手段を変位させる。係止体（４３）は、万力の可動ジョーのように機能し、抽出機（１）を、締付が完了するまでは固定ジョーのように機能する係止部材（６）に向けて、あるいは、同等の部材に向けて、押し込む。クランプ（４０）は、レール（２）上における締付システムによるロックを維持する。以下においては、いくつかの可能なタイプの中間部材（３）について、また、端部部材（４，５）について、説明する。
【００１８】
中間部材として通常使用されるものは、２つの相に関して、ある個別抽出機（１）から他の個別抽出機への自由な循環を可能とするタイプのものである。図７において符号（５０）によって示されている中間部材は、ブロック（５１）から構成されている。ブロック（５１）の厚さは、共にタンク（８）がなす平面に対して当接することを意図した両側の平面（６５）によって規定されている。ダクト（５３，５４）が、ブロック（５１）を貫通している。各ダクト（５３，５４）は、個別抽出機（１）のある相に関しての導出口と、隣接している個別抽出機（１）のその同じ相に関しての導入口と、に対して接続されている。ダクト（５３，５４）は、良好な接続を確立し得るよう、一定高さのものであったり、あるいは、傾斜したものであったり、する。ブロック（５１）は、レール（２）どうしの間にスライド挿入し得るような形態とされたベース（５５）を有している。これにより、中間部材（５０）は、両側方から保持されることとなる。ブロック（５１）は、下向きとされた両肩部（５６）によって、これら肩部（５６）の高さ位置において、レール（２）上に設置される。ブロック（５１）は、また、肩部に対してブロック残部を連結している挿入体（５５）によっても、支持される。図面上では、一方の肩部しか図示されていないけれども、他方の肩部は、対象位置に存在している。
【００１９】
本発明によるこの特別の実施形態においては、他の実施形態と同様に、２つのダクト（５３，５４）は、鉛直方向ダクト（５７）に対して連通している。鉛直方向ダクト（５７）は、チューブ（５８）によってブロック（５１）の上部において開口している。鉛直方向ダクト（５７）は、個別抽出機どうしの間の圧力を平衡化することを意図したものであり、また、場合によっては、補助流体を供給することもできるし、あるいは、測定の目的のために流体の一部を抽出することもできる。チューブ（５０）の取扱い性を高め得るよう、ハンドルあるいは他の把持部材を、追加することができる。そのような把持部材は、取扱い時に連結部分を所定位置に維持し得るよう構成された開口部分を有している。
【００２０】
図８Ａおよび図８Ｂの実施形態は、符号（７０）によって示されているものであって、先の実施形態における貫通ダクト（５３，５４）に代えて、相置換のための２つの部材を備えている。これら２つの部材は、下行パージダクト（６２）に連通したエルボー枝ライン（６１）と、その先のラインには連通しておらず部材（７０）の上部のチューブ（６５）において終端した上向き供給ダクト（６４）に連通している他のエルボー枝ライン（６３）と、である。この場合、供給ダクト（６４）を通して導入された製品は、直列接続された並びの途中において、下行ダクト（６２）によって抽出された相を置換するように機能する。さらに、この部材は、ブロック（５１）と厳密に同じサイズのブロックを備えている。同じ流通経路を適用し得るような本発明の他の実施形態においては、各々の相流通に関しての２つの同じエルボー枝ラインを使用することが可能である。
【００２１】
図９Ａおよび図９Ｂは、本発明によるさらなる中間部材の実施形態を、符号（８０）によって示している。この場合には、一方の相の循環流通が、抽出機内において確立されている。図７の実施形態におけるダクトと極めて同様の流通ダクト（８１，８２）が示されている。さらに、横方向連結ダクト（８３）が、ダクトどうしを連通している。ダクト（８３）は、所望の向きにおける流通を促進し得るよう傾斜状態とされている。校正済みのダイヤフラム（８４）により、連結ダクト（８３）を介しての循環流通の量を固定することができる。連結ダクト（８３）を傾斜させ得るには、部材（８０）においては、抽出ダクト（８２）を高位置（８５）に形成する必要がある。
【００２２】
ブロック（５１）と同様のブロック形状のものとして形成されている端部部材（５）が、図１０に示されている。この端部部材（５）は、一方の相のための上向き供給ダクト（９１）を備えている。エルボー枝ライン（９３）には、端部部材（５）の底部において、下行パージダクト（９４）が接続されている。この場合にも、上向きサンプリングダクト（９５）を、エルボー枝ライン（９３）に対して連通するようにして、追加することができる。
【００２３】
図１１に示す他のタイプの端部部材（４）は、上向きに開口する供給ダクト（１０１）と、エルボー枝ライン（１０２）と、下行パージダクト（１０４）に対して接続されておりかつベント穴（１０５）を設けることができる他のエルボー枝ライン（１０３）と、を備えているという点において、上記の端部部材と同様である。しかしながら、この端部部材（４）は、レール（２）上に設置されるのではなく、レール（２）に対して固定される。先の実施形態におけるボディ（５１）は、わずかに異なる形状のボディ（１０６）によって代替されている。ボディ（１０６）は、特に、一対のチーク（１０７）を有している。各チーク（１０７）には、レール（２）のスラッグを受領するための穴（１０８）と、締付キャプスタン（１１０）のネジ（１１１）を挿通させるための他の穴（１０９）と、が設けられている。ネジ（１１１）は、レール（２）のネジ山付き穴に螺合する。よって、第１端部部材（４）を、レール（２）の一端に設置することができる。この場合、第１端部部材（４）の背面側には、締付キャプスタンが配置される。次に、締付キャプスタンが、ブロックに対してネジ止めされ、第１端部部材（４）が、一連をなす複数の抽出機（１）に対して取り付けられる。
【００２４】
上述した端部部材（４，５）により、一連の一端において、各流通相を導入することができ、他端において、回収することができる。
【００２５】
複数の中間部材（３）の中の１つを変更することは、数滴の流体損失にしかならないことに注意されたい。
【図面の簡単な説明】
【００２６】
【図１】一連をなす複数の個別抽出機を示す図である。
【図２】個別抽出機を示す断面図である。
【図３】個別抽出機を示す分解斜視図である。
【図４】レールに対しての個別抽出機のスライド挿入の様子を示す斜視図である。
【図４ａ】レール上に設置されロックされた個別抽出機を示す斜視図である。
【図５】レールどうしの連結を示す斜視図である。
【図６】締付システムを示す斜視図である。
【図７】中間部材を示す図である。
【図８Ａ】中間部材を示す図である。
【図８Ｂ】中間部材を示す図である。
【図９Ａ】中間部材を示す図である。
【図９Ｂ】中間部材を示す図である。
【図１０】端部部材を示す図である。
【図１１】端部部材を示す図である。
【図１２】端部部材を示す図である。
【符号の説明】
【００２７】
１  個別抽出機
２  レール
３  中間部材
５  端部部材
６  係止部材（係止手段、締付システム）
７  押込部材（押込アセンブリ、締付システム）
２５  ベース
２６  第２部分
２８  第３部分
３０  位置決めピン（位置決め手段）
３１  位置決めピン（位置決め手段）
３４  連結キー（連結手段）
３５  ネジ山付き穴（連結手段）
３６  ネジ（連結手段）
３７  ヘッド（連結手段）
３８  径方向スポーク（連結手段）
４１  鉛直方向コラム
４２  キャプスタン
９１  上向き供給ダクト（供給口）
９４  下行パージダクト（抽出口）
【国際公開パンフレット】
2005506181.tif 000003
2005506181.tif 000004
2005506181.tif 000005
2005506181.tif 000006
2005506181.tif 000007
2005506181.tif 000008
2005506181.tif 000009
2005506181.tif 000010
2005506181.tif 000011
2005506181.tif 000012
2005506181.tif 000013
2005506181.tif 000014
2005506181.tif 000015
2005506181.tif 000016
2005506181.tif 000017
2005506181.tif 000018
2005506181.tif 000019
2005506181.tif 000020
2005506181.tif 000021
2005506181.tif 000022
2005506181.tif 000023
2005506181.tif 000024
2005506181.tif 000025
2005506181.tif 000026
2005506181.tif 000027
2005506181.tif 000028
2005506181.tif 000029
2005506181.tif 000030
【国際調査報告】
2005506181.tif 000031
2005506181.tif 000032
2005506181.tif 000033
2005506181.tif 000034